(57)【要約】      （修正有）【課題】ハーネス型安全帯の腰部重合部に縫着した結束ベルトにつき、連結式バックルを使用することで、保持力が低下することなく確実に胴ベルトを取り付けられるハーネス型安全帯と胴ベルトの結合構造を提供する。【解決手段】ハーネス型安全帯１の肩掛けベルト２０の下端部と腿掛けベルト３０の上端部を所定位置で重合するとともに、当該重合部に一端にソケット本体４２、他端にタングプレート４４を固定した結束ベルト４０の中間部を上下方向に重合して縫着する。このハーネス型安全帯１の両側重合部に胴ベルト５１を配置し、結束ベルト４０のソケット本体４２にタングプレート４４を嵌挿することでハーネス型安全帯１に胴ベルト５１を装着できるハーネス型安全帯１と胴ベルト５１の結合構造。【選択図】図７
0003190133.tif 000002
【実用新案登録請求の範囲】
【請求項１】
一方にバックルを設けて腰部を巻き回す胴ベルトと、背部において交差し両肩に掛かった状態を保持する肩掛けベルトと、一対の足を挿入して腿部を緊縛する環状の腿掛けベルトとを一体的に形成したハーネス型安全帯の組合せにおいて、
ハーネス型安全帯の肩掛けベルトの下端部と腿掛けベルトの上端部を所定位置で重合するとともに、当該重合部に一端にソケット本体、他端にタングプレートを固定した結束ベルトの中間部を上下方向に重合して縫着し、
前記ハーネス型安全帯の両側重合部に胴ベルトを配置し、前記結束ベルトを前記胴ベルトに巻き回し、結束ベルトのソケット本体にタングプレートを嵌挿することでハーネス型安全帯に胴ベルトを装着できることを特長とするハーネス型安全帯と胴ベルトの結合構造。
【考案の詳細な説明】
【技術分野】
【０００１】
本願は高所作業時の作業者が身体を装着し、墜落の防止を図る安全帯に関するものであり、特には腰部に巻き回して装着する胴ベルト型安全帯を、より墜落時の衝撃荷重を緩衝して身体の損傷を防止するフルハーネス型安全帯に容易に変更可能な構造を有するハーネス型安全帯に係るものである。
【背景技術】
【０００２】
現在、日本国内で使用されている墜落防止に使用する安全帯は、胴ベルトのみから構成された胴ベルト型安全帯と、肩掛けベルトと腿ベルトから構成されたハーネス型安全帯の２種類があるが、装着が容易であり、身体の束縛感が少なく、価格も安いため、胴ベルト型安全帯が主流である。
この胴ベルト型安全帯は、胴ベルトのみ若しくは胴ベルトと補助ベルトから構成されていることから、その胴ベルトに作業に必要な工具類を携帯する為のペンチ差しや工具袋を取り付けることができる。しかしながら、墜落阻止時は腰部に装着した胴ベルトのみで衝撃荷重をうけるので身体損傷の危険性が高くなる。
【０００３】
ハーネス型安全帯は、肩掛けベルトと腿ベルトの基本形状に胴ベルトが装備されたものと、胴ベルトが装備されていないものの２種類があるが、胴ベルトの有り無しに係わらず、落下阻止時は衝撃荷重を肩掛けベルトと腿ベルトで分散してうけることができるので身体損傷の危険性が低くなる。
しかしながら、胴ベルトなしのハーネス型安全帯を装着した作業員が工具を携帯しようとする場合、工具を収納するためのペンチ差しや工具袋が取り付けられていないので、手提げ袋などに工具を収納しないと移動できず、不便であった。
また、胴ベルトが装備されたハーネス型安全帯の場合、胴ベルトにペンチ差しや工具袋が取り付けられるのであるが、それを取り付ける際は一度ハーネス型安全帯から胴ベルトを分離し、胴ベルトにペンチ差しや工具袋を取り付け、再度、ハーネス型安全帯にセットしなければならず、手間がかかっていた。
【０００４】
このようなことから、特許文献１に示すように、胴ベルトにペンチ差しや工具袋等を取り付けたままで胴ベルトをハーネス型安全帯に取り付けることができる胴ベルトとハーネス型安全帯の連結方法が発明された。
【先行技術文献】
【特許文献】
【０００５】
【特許文献１】特開２００５−３４２３０８号公報
【考案の概要】
【考案が解決しようとする課題】
【０００６】
特許文献１における発明は、面ファスナーを設けた結束ベルト（連結用ベルト）をハーネス型安全帯の両腰部のベルト固定環に取り付け、胴ベルトと補助ベルトから構成された胴ベルト型安全帯の補助ベルトに結束ベルト（連結用ベルト）を巻き付け、面ファスナーにより固定することで胴ベルト型安全帯をハーネス型安全帯に連結している。
しかしながら、この面ファスナーは、フック状に起毛された側とループ状に密集して起毛された側とを押し付けることで貼り付けられるので、貼り付けたり剥がしたりが自在にできるのであるが、長い期間使用していると結合力が低下し、ハーネス型安全帯と胴ベルト型安全帯が分離することがあった。
【０００７】
また、ハーネス型安全帯の肩掛けベルトと腿掛けベルトは、装着したときの両腰部に位置する箇所に連結環とベルト固定環に挿入して縫製加工する構造のため、連結環とベルト固定環へのベルトの挿入、ベルトの位置決め、縫製と非常に手間のかかる工程となっていた。
【課題を解決するための手段】
【０００８】
本考案は、上記の課題に鑑みてなされたものであって、ハーネス型安全帯の肩掛けベルトと腿掛けベルトを、連結環やベルト固定環を使用することなく一体的に形成し、胴ベルトを固定する結束ベルトは面ファスナーを使うことなく胴ベルトとハーネス型安全帯を連結できるようにすることをその目的とするものである。
【０００９】
本考案の胴ベルトは、ベルトの一方にバックルを設けることで腰部を巻き回しできる構造である。ハーネス型安全帯は、背部において交差し両肩に掛かった状態を維持する肩掛けベルトと、一対の足を挿入して腿部を緊縛する環状の腿掛けベルトとを一体的に形成した構造である。
このハーネス型安全帯は、肩掛けベルトの下端部と腿掛けベルトの上端部を、ハーネス型安全帯を装着した際に両腰部に位置する箇所で重合させるとともに、当該重合部にベルトの一端にソケット本体と他端にタングプレートを固定した結束ベルトの中間部を上下方向に重合させて縫着する。
そして、ハーネス型安全帯の両側重合部に胴ベルトを配置し、結束ベルトを胴ベルトに巻き回し、結束ベルトのソケット本体にタングプレートを嵌挿することでハーネス型安全帯に胴ベルトを装着できる胴ベルトとハーネス型安全帯の連結方法を考案した。
【考案の効果】
【００１０】
この考案により、ハーネス型安全帯の肩掛けベルトと腿掛けベルトは作業者が装着した際の両腰部での重合箇所を、連結環やベルト固定環を使用しないで一体的に形成することで縫製加工する際の省力化が図れる。
更に、胴ベルトとハーネス型安全帯とを連結する結束ベルトは面ファスナーの結合力で保持するのではなく、ソケット本体にタングプレートを嵌挿することで連結しているので、保持力が低下することなくハーネス型安全帯に胴ベルトが確実に取り付けられる。
【図面の簡単な説明】
【００１１】
【図１】本考案のハーネス型安全帯１の正面図
【図２】本考案のハーネス型安全帯１の右側面図
【図３】本考案の結束ベルト４０の正面図
【図４】本考案の結束ベルト４０のソケット本体４２にタングプレート４４を嵌挿した状態の正面図
【図５】本考案の結束ベルト４０のソケット本体４２にタングプレート４４を嵌挿した状態の右側面図
【図６】胴ベルト型安全帯５の正面図
【図７】本考案のハーネス型安全帯１に胴ベルト型安全帯５を取り付けた状態を示す正面図
【考案を実施するための形態】
【００１２】
以下、本考案の実施形態を図面に基づき詳細に説明する。図１は本考案のハーネス型安全帯１の正面図であり、図２はその右側面図、図３は結束ベルト４０の正面図である。
図１及び図２に示すように本実施例のハーネス型安全帯１は、肩掛けベルト２０と腿掛けベルト３０と一対の結束ベルト４０，４０とを備えている。
肩掛けベルト２０は、装着状態の背部において一対の肩ベルト２１Ｒ、２１Ｌがランヤード連結リング２３に挿入することで交差させ、作業者の両肩に掛かる大きさで環状に形成してそれぞれの下端部、すなわち両腰部で重合し、縫製されている。
【００１３】
腿掛けベルト３０は、一対の腿ベルト３１Ｒ，３１Ｌのそれぞれの両端部に、ソケット本体とタングプレートからなる連結式バックルを設けるのであるが、具体的には腿ベルト３１Ｒにソケット本体３２Ｒとタングプレート３４Ｒを、腿ベルト３１Ｌにソケット本体３２Ｌとタングプレート３４Ｌを取り付ける。この腿ベルト３１Ｒ，３１Ｌは、作業者の腿部を緊縛できる大きさとする。
そして、腿ベルト３１Ｒの上端部を肩ベルト２１Ｒの下端部と、腿ベルト３１Ｌの上端部を肩ベルト２１Ｌの下端部と重合し、縫製する。
このように、ハーネス型安全帯１は、肩掛けベルト２０と腿掛けベルト３０を、両腰部で重合し、縫製することで一体的に形成されている。
【００１４】
図３に示すように、結束ベルト４０は、所定長ベルト４１の両端に、ソケット本体とタングプレートからなる連結式バックルを設けるのであるが、その一端にソケット本体４２、他端にタングプレート４４を設け、図４及び図５に示すように、ソケット本体４２にタングプレート４４を嵌挿することで胴ベルトが保持できる大きさの保持空間４５を形成する。
この結束ベルト４０，４０は、前に記載したように一対とし、図１に示すように、肩ベルト２１Ｒと腿ベルト３１Ｒの重合箇所、及び肩ベルト２１Ｌと腿ベルト３１Ｌの重合箇所に上下方向に縫着する。
【００１５】
図６に示すように、胴ベルト型安全帯５は、ベルト５１１の一端にバックル５１２を設けた胴ベルト５１と、ベルト５５１の両端部近傍にリング５５６，５５７を設けた補助ベルト５５と、から構成されている。また、胴ベルト５１にはペンチ差し６１と工具袋６２等が取り付けられている。
尚、図示しないが、補助ベルト５５がなく、胴ベルト５１のみから構成された胴ベルト型安全帯でもよい。
【００１６】
図７は本考案のハーネス型安全帯１に胴ベルト型安全帯５を取り付けた状態を示す正面図である。
ハーネス型安全帯１に胴ベルト型安全帯５を取り付けるには、まず、ハーネス型安全帯１の重合部に胴ベルト型安全帯５を配置し、それぞれの結束ベルト４０，４０を胴ベルト型安全帯５の補助ベルト５５に巻き回す。そして、結束ベルト４０，４０のソケット本体４２，４２にタングプレート４４，４４を嵌挿することで取り付けることができる。
図示しないが、補助ベルト５５がない胴ベルト型安全帯であっても、同じようにハーネス型安全帯１に胴ベルト型安全帯を取り付けることができる。
【００１７】
このように、ハーネス型安全帯１の肩掛けベルト２０の下端部と腿掛けベルト３０の上端部は、それぞれのベルトを結合する時に連結環とベルト固定環を使用することなく重合箇所を縫着してハーネス型安全帯１を形成しているので、肩掛けベルトや腿掛けベルトを連結環とベルト固定環に挿通する工程が省けることによる省力化が図れる。
更に、ハーネス型安全帯１と胴ベルト型安全帯５とを連結する結束ベルト４０は、ソケット本体４２にタングプレート４４を面ファスナーの連結力で保持するのではなく、ソケット本体４２とタングプレート４４の結合力で保持するので確実に取り付けられる。
【符号の説明】
【００１８】
１  ハーネス型安全帯
５  胴ベルト型安全帯
２０  肩掛けベルト
２１Ｒ  肩ベルト
２１Ｌ  肩ベルト
２３  ランヤード連結リング
３０  腿掛けベルト
３１Ｒ  腿ベルト
３１Ｌ  腿ベルト
３２Ｒ  ソケット本体
３２Ｌ  ソケット本体
３４Ｒ  タングプレート
３４Ｌ  タングプレート
４０  結束ベルト
４１  所定長ベルト
４２  ソケット本体
４４  タングプレート
４５  保持空間
５１  胴ベルト
５１１  ベルト
５１２  バックル
５５  補助ベルト
５５１  ベルト
５５６  リング
５５７  リング
６１  ペンチ差し
６２  工具袋
【図１】
0003190133.tif 000003
【図２】
0003190133.tif 000004
【図３】
0003190133.tif 000005
【図４】
0003190133.tif 000006
【図５】
0003190133.tif 000007
【図６】
0003190133.tif 000008
【図７】
0003190133.tif 000009